(57)【要約】【課題】フィードコロ、ピックアップコロに静電付着した紙粉を吸着し、フィードコロ、ピックアップコロの摩擦係数の低下を防止することができる給紙装置を提供する。【解決手段】給紙方向に回転駆動されるフィードコロと、該フィードコロに当接し、トルクリミッタを介して給紙方向とは逆向きに回転駆動されるセパレートコロと、フィードコロとセパレートコロのニップに用紙を送り込むピックアップコロとを有する給紙装置において、フィードコロとピックアップコロの間にあるアイドラギアと一体化した導電性の紙粉吸着ローラを備え、該紙粉吸着ローラにバイアス電荷を印加する。【選択図】        図２
2004161408.tif 000002
【特許請求の範囲】
【請求項１】
給紙方向に回転駆動されるフィードコロと、該フィードコロに当接し、トルクリミッタを介して給紙方向とは逆向きに回転駆動されるセパレートコロと、フィードコロとセパレートコロのニップに用紙を送り込むピックアップコロとを有する給紙装置において、フィードコロとピックアップコロの間にあるアイドラギアと一体化した導電性の紙粉吸着ローラを備え、該紙粉吸着ローラにバイアス電荷を印加することを特徴とする給紙装置。
【請求項２】
請求項１の給紙装置において、紙粉吸着ローラは着脱自在に設けてあることを特徴とする給紙装置。
【請求項３】
請求項１または２の給紙装置において、紙粉吸着ローラに吸着した紙粉を清掃、回収し、溜めておくことができる紙粉ケースを備えたことを特徴とする給紙装置。
【請求項４】
請求項３の給紙装置において、紙粉ケースは着脱自在に設けてあることを特徴とする給紙装置。
【発明の詳細な説明】
【０００１】
【発明の属する技術分野】
本発明は、複写機、ファクシミリ、プリンタ等の画像形成装置の給紙装置に関するものである。
【０００２】
【従来の技術】
複写機、ファクシリミ、プリンタ等の画像形成装置における、用紙を給紙搬送する給紙装置として、用紙を１枚ずつ確実に給紙するために、給紙方向に回転駆動されるフィードコロ、フィードコロに当接してトルクリミッタを介して給紙方向とは逆向きに回転駆動されるセパレートコロ、フィードコロとセパレートコロのニップに用紙を送り込むピックアップコロの３つの給紙コロを有するＦＲＲ（Ｆｒｉｃｔｉｏｎ  Ｒｅｖｅｒｓｅ  Ｒｏｌｌ）方式と呼ばれるものがある。
【０００３】
図５はＦＲＲ方式を採用した給紙装置の概略図である。図中１０１はフィードコロ、１０２はセパレートコロ、１０３はピックアップコロを示す。これらのコロとしては、用紙を搬送する際に紙面との間に充分な摩擦抵抗を発生させる必要があるため、摩擦係数の大きなゴム材等から成るものが使用される。
【０００４】
従来のＦＲＲ方式の給紙装置においては、常に用紙同士が摩擦しているため、給紙枚数が増すと摩擦帯電が生じ、用紙表面に付着している紙粉も帯電するようになる。このように紙粉が帯電すると、紙粉が給紙コロの表面に静電付着してしまい、給紙コロの摩擦係数を著しく低下させてしまう。よって紙面との間に必要な摩擦抵抗が得られなくなるため給紙不良が生じてしまい、結果的にジャムとなってしまう。
【０００５】
このような不具合を解消するために、特許文献１記載の技術では、ＦＲＲ方式のピックアップコロ前後に導電性ローラとシートを設け、バイアス電荷を負荷することで紙の摩擦帯電を除電して給紙コロに紙粉が付着しないようにしている。また、特許文献２記載の技術では、給紙コロ１つに対して１つの擦り部材を設けている。
【０００６】
【特許文献１】
特開２０００−７１７５号公報
【特許文献２】
特開平６−９２４９７号公報
【０００７】
【発明が解決しようとする課題】
上記第１の従来例では、給紙コロに紙粉が付着した場合にそれを取り除くことができず、給紙コロ自体の摩擦係数の低下を防止することができない。また上記第２の従来例では、給紙コロ１つに対して１つの擦り部材が必要となるため、ＦＲＲ方式では３箇所の擦り部材が必要となり、レイアウト的に設置が困難であると同時に、大きなコストアップとなってしまう。
【０００８】
本発明は、フィードコロ、ピックアップコロに静電付着した紙粉を吸着し、フィードコロ、ピックアップコロの摩擦係数の低下を防止することができる給紙装置を提供することを目的とする。
【０００９】
【課題を解決するための手段】
上記目的を達成するために、請求項１記載の発明は、給紙方向に回転駆動されるフィードコロと、該フィードコロに当接し、トルクリミッタを介して給紙方向とは逆向きに回転駆動されるセパレートコロと、フィードコロとセパレートコロのニップに用紙を送り込むピックアップコロとを有する給紙装置において、フィードコロとピックアップコロの間にあるアイドラギアと一体化した導電性の紙粉吸着ローラを備え、該紙粉吸着ローラにバイアス電荷を印加する給紙装置を最も主要な特徴とする。
【００１０】
請求項２記載の発明は、請求項１の給紙装置において、紙粉吸着ローラは着脱自在に設けてある給紙装置を主要な特徴とする。
【００１１】
請求項３記載の発明は、請求項１または２の給紙装置において、紙粉吸着ローラに吸着した紙粉を清掃、回収し、溜めておくことができる紙粉ケースを備えた給紙装置を主要な特徴とする。
【００１２】
請求項４記載の発明は、請求項３の給紙装置において、紙粉ケースは着脱自在に設けてある給紙装置を主要な特徴とする。
【００１３】
【発明の実施の形態】
以下、本発明の実施形態を添付図面に従って説明する。
図１は本発明に係る給紙装置が適用される画像形成装置の概略図である。図１において、画像形成装置には３つの給紙トレイ４が配置されている。この給紙トレイ４は、例えば図示せぬスライドレールによって本体手前側にスライドさせて引き出すことができ、用紙５を積置することができる。この給紙トレイ４内の用紙５を給紙搬送する給紙装置として、前述したようにＦＲＲ方式と呼ばれるものがある。
【００１４】
図２はＦＲＲ方式を採用した本発明の実施の形態に係る給紙装置の概略図、図３は図２の矢印Ａに従う概略図、図４は図２の主要部拡大図である。図中１はフィードコロ、２はセパレートコロ、３はピックアップコロを示す。
【００１５】
フィードコロ１は給紙搬送方向に回転駆動している駆動軸７に連結されており、ピックアップコロ３は駆動軸７を中心に揺動可能に支持したアーム８に固定した軸９に回転可能に支持してある。ピックアップコロ３の端部にはギヤ部３−１（図３）が設けてあり、フィードコロ１のギヤ部１−１（図３）からアイドラギア１０を介して回転力が伝達されるようになっている。またセパレートコロ２は、図示せぬトルクリミッタを介して給紙方向とは逆向きに回転駆動している駆動軸１１に連結し、所定圧力にてフィードコロ１に圧接し、ニップを形成している。
【００１６】
トルクリミッタのトルクは、フィードコロ１とセパレートコロ２とのニップ部に用紙が複数枚進入してきた時の用紙同士の摩擦力よりも大きく、１枚の用紙が進入してきた時の用紙とセパレートコロ２との摩擦力よりも小さく設定されているため、ピックアップコロ３によって送り込まれた最上紙のみを給紙することが可能となる。
【００１７】
なお、ピックアップコロ３の下側には給紙トレイ４に積載収納された用紙５の束の先端部が位置し、用紙５の束は図示せぬ上昇手段によって底板６を介して上昇するようになっている。
【００１８】
本発明に係る給紙装置は、フィードコロ１とセパレートコロ３の間にあるアイドラギア１０と一体化した導電性の紙粉吸着ローラ２１と、その紙粉吸着ローラ２１に吸着した紙粉を清掃、回収し、溜めておく紙粉ケース２３を備えている。
【００１９】
本発明では、紙粉吸着ローラ２１がアイドラギア１０と一体化し、かつ紙粉吸着ローラ２１を本体と導通させて本体に対して電気的に絶縁された状態でバイアス電荷２２を印加することで、図４に示すようにフィードコロ１、ピックアップコロ３に静電付着した紙粉を紙粉吸着ローラ２１に吸着することができる。
【００２０】
この紙粉吸着ローラ２１はアイドラギア１０と一体化しているため、フィードコロ１、ピックアップコロ３の動作中、即ち給紙動作中は常に回転している。そのため紙粉吸着ローラ２１表面の一部分に紙粉が吸着することは無く、ローラ全体に吸着することができるため、安定した紙粉吸着を行うことができる。よってフィードコロ１、ピックアップコロ３上には常に紙粉が無く、良好な給紙動作を行うことができる。
【００２１】
更にこの紙粉吸着ローラ２１を、図２、４に示すようにフィードコロ１、ピックアップコロ３に対して微少な隙間を有して位置させることにより、紙粉吸着ローラ２１によってフィードコロ１、ピックアップコロ３の表面にダメージを与えることは無くなる。
【００２２】
また本発明では、紙粉吸着ローラ２１を給紙装置から取り外し可能とすることで、給紙装置の定期的なメンテナンス時や、フィードコロ１、セパレートコロ２、ピックアップコロ３の劣化、磨耗などによる交換時に紙粉吸着ローラ２１のメンテナンスや交換が可能となる。また、紙粉吸着ローラ２１単独でも取り外し可能であるため、それのみのメンテナンスも可能であることから、常に良好な紙粉吸着を行うことができる。
【００２３】
また、紙粉吸着ローラ２１で吸着した紙粉を清掃、収納する紙粉ケース２３についてであり、紙粉ケース２３は、図４に示すように紙粉吸着ローラ２１に当接し、紙粉吸着ローラ２１に吸着した紙粉を削ぎ落とす除去部２３ａと、削ぎ落とされた紙粉を溜めておく収納部２３ｂとで構成される。
【００２４】
紙粉吸着ローラ２１は常に回転しているため、紙粉吸着ローラ２１に吸着した紙粉は除去部２３ａによって常に削ぎ落とされ、収納部２３ｂに溜められる。つまり紙粉吸着ローラ２１は、フィードコロ１、セパレートコロ３から紙粉を吸着したと同時に、紙粉ケース２３により紙粉が削ぎ落とされるため、常に紙粉吸着性能を維持することができる。
【００２５】
また紙粉ケース２３をアーム８に対して取り外し可能に固定することにより、紙粉吸着ローラ２１のメンテナンス時と同時に紙粉ケース２３を取り外して紙粉を破棄することが可能となる。
【００２６】
【発明の効果】
請求項１記載の発明によれば、フィードコロ、ピックアップコロの間にあるアイドラギア部と一体化した紙粉吸着ローラによって、フィードコロ、ピックアップコロに静電付着した紙粉を吸着することを可能としたため、フィードコロ、ピックアップコロの摩擦係数の低下を防止し、良好な給紙動作を行うことができる。
【００２７】
請求項２記載の発明によれば、紙粉吸着ローラが給紙装置から取り外し可能であるために、給紙装置や給紙コロの定期的なメンテナンスと同時に、また紙粉吸着ローラ単独においても簡単にメンテナンスを行うことができる。
【００２８】
請求項３、４記載の発明によれば、紙粉吸着ローラで吸着した紙粉を清掃、回収し、溜めておくことができる取り外し可能の紙粉ケースを備えるため、紙粉吸着ローラの紙粉吸着性能を維持し、給紙装置のメンテナンス時に紙粉ケースを取り外し、紙粉ケース内の紙粉を破棄することができる。
【図面の簡単な説明】
【図１】本発明に係る給紙装置が適用される画像形成装置の概略図である。
【図２】本発明の実施の形態に係る給紙装置の概略図である。
【図３】図２の矢印Ａに従う概略図である。
【図４】図２の主要部拡大図である。
【図５】従来の給紙装置の概略図である。
【符号の説明】
１  フィードコロ
２  セパレートコロ
３  ピックアップコロ
１０  アイドラギア
２１  紙粉吸着ローラ
２２  バイアス電荷
【図１】
2004161408.tif 000003
【図２】
2004161408.tif 000004
【図３】
2004161408.tif 000005
【図４】
2004161408.tif 000006
【図５】
2004161408.tif 000007